【手続補正書】
【提出日】平成21年8月11日(2009.8.11)
【手続補正１】
【補正対象書類名】明細書
【補正対象項目名】０００５
【補正方法】変更
【補正の内容】
【０００５】
したがって、携帯型画像投射装置にポインタ表示機能を持たせ、携帯型画像投射装置に設けられた十字キーやスティック等の操作部材の操作によって投射画像に対してポインタを移動させることができるとよい。
【特許文献１】特開２００３−４３５７６号公報（段落０００８〜０００９、図１，３等）
【特許文献２】特表２００５−５０６５８０号公報（段落００６８〜００８５等）
【手続補正２】
【補正対象書類名】明細書
【補正対象項目名】００１２
【補正方法】変更
【補正の内容】
【００１２】
図１〜図７には、本発明の実施例１である箱型の携帯型画像投射装置を示している。携帯型画像投射装置１０１は、その本体（筐体１０３）の前端部１０３ｂから画像１０２を不図示のスクリーンや壁等の被投射面に投射することができる。言い換えると、この携帯型（手持ちサイズ、言い換えれば、手で持つように設計された、或いは慣用的に手で持つように意図された形のもの）画像投射装置本体は、画像を投射する方向を前方向（前端部、前部）と称し、その反対側を後方向（後端部、後部）と称する。
【手続補正３】
【補正対象書類名】明細書
【補正対象項目名】００２０
【補正方法】変更
【補正の内容】
【００２０】
一方、重心Ａを中心線上に設定することによって、携帯型画像投射装置１０１を片手で保持した場合に幅方向において水平に維持し易い。このため、携帯型画像投射装置１０１を安定して保持でき、画像を正しい向き、すなわち画像の長辺が水平となる向きに投射し易くなる。
【手続補正４】
【補正対象書類名】明細書
【補正対象項目名】００４２
【補正方法】変更
【補正の内容】
【００４２】
次に、実施例における投射光学ユニット１０６の構成例を図１０に示す。光源１００１からの光束は、集光レンズ１００２を通り、折り返しミラー１００３で反射されて走査デバイス１００４に入射する。走査デバイス１００４で走査される光束は、投射ミラー系１００５で反射されて被投射面に画像１００６を描画する。なお、走査デバイス１００４と光源１００１には、これらを駆動する駆動回路１０１０が接続されている。
【手続補正５】
【補正対象書類名】明細書
【補正対象項目名】００４３
【補正方法】変更
【補正の内容】
【００４３】
携帯型画像投射装置１０１には、パーソナルコンピュータ等の画像供給装置１０２０から無線又は有線によって画像情報が供給される。駆動回路１０１０は、該画像情報に応じて走査デバイス１００４と光源１００１とを駆動する。このことは、後述する他の実施例でも同様である。
【手続補正６】
【補正対象書類名】明細書
【補正対象項目名】００４９
【補正方法】変更
【補正の内容】
【００４９】
但し、本発明の実施例における走査デバイスは、１つの反射ミラーによって光束を２次元方向に走査するものに限らず、光束を１次元方向に走査するデバイスを２つ使用してもよい。また、１次元の走査デバイスとガルバノミラーとを組み合わせて、光束を２次元方向に走査できる構成にしてもよい。
【手続補正７】
【補正対象書類名】明細書
【補正対象項目名】００５０
【補正方法】変更
【補正の内容】
【００５０】
なお、投射光学ユニットの構成は、このような走査デバイスを用いたものに限定されない。例えば、ＤＭＤ（Digital Micromirror Device：登録商標）を用いてもよい。
【手続補正８】
【補正対象書類名】明細書
【補正対象項目名】００５１
【補正方法】変更
【補正の内容】
【００５１】
図１２には、ＤＭＤを用いた投射光学ユニットの構成例を示す。光源１２０１からの光束はＤＭＤ１２０２に入射する。入射光束は、ＤＭＤ１２０２を駆動することによって、ＯＦＦ反射光束１２０３とＯＮ反射光束１２０４とに分けられる。ＯＮ反射光束１２０４は、投射レンズ１２０５により被投射面に拡大投射されて画像１２０６を表示する。
【手続補正９】
【補正対象書類名】明細書
【補正対象項目名】００５５
【補正方法】変更
【補正の内容】
【００５５】
図１２に示した光源１２０１は、Ｒｅｄ，Ｇｒｅｅｎ，Ｂｌｕｅの各色光束を反射ミラー１３０１の位置切り替えに同期して時系列的に射出する構成であってもよい。また、光源１２０１を白色光源とし、該光源１２０１からの光束を、カラーホイールを用いて時系列的にＲｅｄ，Ｇｒｅｅｎ，Ｂｌｕｅの３色に変化させる構成を採用してもよい。
【手続補正１０】
【補正対象書類名】明細書
【補正対象項目名】００６５
【補正方法】変更
【補正の内容】
【００６５】
但し、実施例１でも説明したように、重心前領域Ｃの前後方向長さを、本体の前後方向長さＬの１／５に制限してもよい。これにより、より確実に携帯型画像投射装置１４０１の姿勢が不安定になることを避けることができる。
【手続補正１１】
【補正対象書類名】明細書
【補正対象項目名】００７１
【補正方法】変更
【補正の内容】
【００７１】
なお、携帯型画像投射装置１４０１に、操作部材１５０１を含む複数の操作部材を設けてもよく、この場合、実施例１（図８）と同様に、各操作部材の少なくとも一部を、重心前領域Ｃ内に配置するとよい。また、重心前領域Ｃ内にすべての操作部材を配置することが難しい場合は、画像を投射しながら操作する頻度の高い操作部材を該重心前領域Ｃ内に配置し、操作頻度の少ない操作部材を該重心前領域Ｃの外に配置してもよい。さらに、画像を投射している間に操作されない電源ボタン等の操作部材は、重心前領域Ｃの外に配置してもよい。
【手続補正１２】
【補正対象書類名】明細書
【補正対象項目名】００７５
【補正方法】変更
【補正の内容】
【００７５】
光源１７０１ａ，１７０１ｂ，１７０１ｃからの光束はそれぞれ、コリメータレンズ１７０２ａ，１７０２ｂ，１７０２ｃを介してダイクロイックプリズム７０３に入射する。ダイクロイックプリズム１７０３で３色の光束が合成されることで、携帯型画像投射装置１４０１に入力された画像情報に基づく色合いが作成される。
【手続補正１３】
【補正対象書類名】明細書
【補正対象項目名】００８３
【補正方法】変更
【補正の内容】
【００８３】
携帯型画像投射装置１８０１の外観をなす筐体１８０３は、手で保持できる大きさ、すなわち手持ちサイズを有する。筐体１８０３の内部には、被投射面に画像１８０２を投射する投射光学ユニット（図示せず）が収容されている。本実施例では、投射光学ユニットに、実施例１，２と同様に、走査デバイスを用いている。そして、本実施例では、投射光学ユニットが、実施例２と同様に、投射画像の一部を指し示すポインタ１８０８を表示する機能を有する。筐体１８０３と、投射光学ユニットやその駆動回路及びバッテリ等、筐体１８０３内の全ての収容物とにより、該携帯型画像投射装置１８０１の本体が構成される。
【手続補正１４】
【補正対象書類名】明細書
【補正対象項目名】００８９
【補正方法】変更
【補正の内容】
【００８９】
なお、操作部材２００１を、その少なくとも一部が、実施例１で説明した重心前領域Ｃ内に位置するように配置してもよい。また、重心前領域Ｃの前後方向長さを、本体の前後方向長さの１／５に制限すると、より好ましい。
【手続補正１５】
【補正対象書類名】明細書
【補正対象項目名】００９４
【補正方法】変更
【補正の内容】
【００９４】
なお、携帯型画像投射装置１８０１に、操作部材２００１を含む複数の操作部材を設けてもよく、この場合、各操作部材の少なくとも一部を、重心前領域Ｃ内に配置するとよい。また、重心前領域Ｃ内にすべての操作部材を配置することが難しい場合は、画像を投射しながら操作する頻度の高い操作部材を該重心前領域Ｃ内に配置し、操作頻度の少ない操作部材を該重心前領域Ｃの外に配置してもよい。さらに、図２１に示すように、画像を投射している間に操作されない電源ボタン等の操作部材２１０１は、重心前領域Ｃの外（例えば、本体の後端部）に配置してもよい。